(57)【要約】【課題】店舗内照明に合わせて、ショーケースの庫内照明を自動調整し、ショーケースの陳列商品に対して適切な照明の色合いを提供する。【解決手段】外光検出部、又は、外光予測部３００を備え、前記外光に基づいてショーケースが設置された店舗の店舗内照明を制御し、店舗内照明に対応させて前記ショーケースの庫内照明を制御する制御部９０を備えた。【選択図】図３
2016048605.tif 000002
【特許請求の範囲】
【請求項１】
外光検出部、又は、外光予測部を備え、
前記外光に基づいてショーケースが設置された店舗の店舗内照明を制御し、店舗内照明に対応させて前記ショーケースの庫内照明を制御する制御部を備えた、
ことを特徴とする照明制御装置。
【請求項２】
前記外光予測部はカレンダー情報に基づいて外光を予測し、
前記制御部は、予め季節、時間に対応させた外光の色温度、照度の情報を記憶するデーターベースを備えたことを特徴とする請求項１に記載の照明制御装置。
【請求項３】
前記外光予測部は天候情報に基づいて外光を予測し、
前記制御部は、予め季節、時間に対応させた外光の色温度、照度の情報を記憶するデーターベースを備えたことを特徴とする請求項１に記載の照明制御装置。
【請求項４】
前記店舗内を複数の照明エリアに区分けし、
前記制御部は、外光に基づいて照明エリア毎に店舗内照明を制御すると共に、前記ショーケースの配置された該当照明エリア、及び該当照明エリアに隣接する隣接照明エリアに設けた重み付けに従って、該当照明エリアの基準照度を算出し、基準照度に対応させて該当照明エリアのショーケースの庫内照明を制御することを特徴とする請求項１乃至３の何れか一項に記載の照明制御装置。
【請求項５】
前記制御部は、前記ショーケースの商品種別に対応させて前記ショーケースの庫内照明を制御することを特徴とする請求項１乃至４の何れか一項に記載の照明制御装置。
【請求項６】
外光を検出し、又は、外光を予測し、
前記外光に基づいてショーケースが設置された店舗の店舗内照明を制御し、店舗内照明に対応させて前記ショーケースの庫内照明を制御する、
ことを特徴とする照明方法。
【発明の詳細な説明】
【技術分野】
【０００１】
本発明は、ショーケースの庫内照明を含んだ、照明制御装置、及び、照明方法に関する。
【背景技術】
【０００２】
従来、スーパーマーケット等において鮮魚等を収容するショーケースにおいて、少ない消費電力にて販売効果を向上させるため、ショーケースの商品を照らす庫内照明の色合いを調整する制御が行われている。
この場合、ショーケースの庫内に陳列される商品に応じて、適切な庫内照明を実現できるよう制御されている（特許文献１参照。）。
【先行技術文献】
【特許文献】
【０００３】
【特許文献１】特開２０１０−２００９８５号公報
【発明の概要】
【発明が解決しようとする課題】
【０００４】
しかしながら、特許文献１のように、ショーケースの中で色合いを調整する制御を行ったとしても、ショーケースの庫内は店舗照明の影響を受けるため、必ずしもショーケース内の商品を魅力的に見せることで販売効果を促進することができなかった。
本発明は、上述した事情に鑑みてなされたものであり、ショーケース内の商品を魅力的に見せることで販売効果を促進することのできる照明制御装置、及び、照明方法を提供することを目的とする。
【課題を解決するための手段】
【０００５】
上記目的を達成するために、本発明は、外光検出部、又は、外光予測部を備え、前記外光に基づいてショーケースが設置された店舗の店舗内照明を制御し、店舗内照明に対応させて前記ショーケースの庫内照明を制御する制御部を備えた、ことを特徴とする。
【０００６】
また、本発明は、前記外光予測部はカレンダー情報に基づいて外光を予測し、前記制御部は、予め季節、時間に対応させた外光の色温度、照度の情報を記憶するデーターベースを備えたことを特徴とする。
【０００７】
また、本発明は、前記外光予測部は天候情報に基づいて外光を予測し、前記制御部は、予め季節、時間に対応させた外光の色温度、照度の情報を記憶するデーターベースを備えたことを特徴とする。
【０００８】
また、本発明は、前記店舗内を複数の照明エリアに区分けし、前記制御部は、外光に基づいて照明エリア毎に店舗内照明を制御すると共に、前記ショーケースの配置された該当照明エリア、及び該当照明エリアに隣接する隣接照明エリアに設けた重み付けに従って、該当照明エリアの基準照度を算出し、基準照度に対応させて該当照明エリアのショーケースの庫内照明を制御することを特徴とする。
【０００９】
また、本発明は、前記制御部は、前記ショーケースの商品種別に対応させて前記ショーケースの庫内照明を制御することを特徴とする。
【００１０】
また、本発明は、外光を検出し、又は、外光を予測し、前記外光に基づいてショーケースが設置された店舗の店舗内照明を制御し、店舗内照明に対応させて前記ショーケースの庫内照明を制御する、ことを特徴とする。
【発明の効果】
【００１１】
本発明によれば、外光、又は、外光予測に基づいて店舗内照明を制御し、店舗内照明に対応させてショーケースの庫内照明を制御することで、ショーケース内の商品を魅力的に見せ、販売効果を促進することのできる照明制御装置、及び、照明方法を提供することができる。
【図面の簡単な説明】
【００１２】
【図１】本実施の形態に係るショーケースの縦断側面図である。
【図２】本実施の形態に係る店舗照明器具とショーケースの系統図である。
【図３】本実施の形態に係る制御ブロック図である。
【図４】照明制御装置を導入した店舗における、各照明エリアの区分けと、ショーケースの位置を示した図である。
【図５】照明制御装置を導入した店舗における、各照明エリアの区分けと、ショーケースの位置を示した図である。
【図６】照明制御装置の処理フローの一例を示す図である。
【図７】色温度と外光との調和用基本情報の一例を示す図である。
【発明を実施するための形態】
【００１３】
以下、図面を参照して本実施の形態について説明する。
図１は、本実施の形態に係るショーケース５０の縦断側面図である。
ショーケース５０は、例えばスーパーマーケット、コンビニエンスストアなどの店舗内に据え付けられる縦型のショーケースであり、前面に開口する断面略コ字状の断熱壁２と、据え付け現場において断熱壁２の側面に取り付けられた不図示の断熱性の側板とから構成されている。
ショーケース５０の断熱壁２の内側にはそれぞれ間隔を存して仕切板４及び図示しないもう一枚の仕切板が取り付けられ、これら仕切板４などと断熱壁２間に図示しない内外二層のダクトが形成されている。
内側の仕切板を構成する背部仕切板１５の下端前方には、底板９が断熱壁２の底壁２Ａとの間にダクト用の間隔を存して取り付けられており、これら仕切板４及び底板９の内側を陳列室１１としている。
【００１４】
この陳列室１１内には、高さ及び取付け角度が変更可能であると共に、陳列室１１内背部の図示しない支柱に取り付けられる一対のブラケット３１及びこれらと共に棚を構成する棚板３２が複数段に渡って架設されている。
棚板３２の前縁には、硬質合成樹脂により成形されるプライスレール３４が取り付けられ、当該プライスレール３４は、棚板３２の装飾体を兼用している。
また、この棚板３２の前壁とプライスレール３４との間には、所定の間隔が形成されており、当該間隔には棚板３２上の商品が落下することを防止するためのガード３５が取り付けられている。
【００１５】
断熱壁２の開口１２の上縁にはハニカム材１３、１４がそれぞれ取り付けられた内層吐出口１６及び外層吐出口１７が並設されており、これら内層吐出口１６及び外層吐出口１７は、内層ダクト及び外層ダクトにそれぞれ連通している。また、開口１２の下縁には、内層吸込口１８と外層吸込口１９が並設されている。
底板９下方後部には断熱壁２の底壁２Ａ上に前記内層ダクト及び外層ダクトのそれぞれに対応する図示しない送風機が複数台設置されている。
【００１６】
背部仕切板１５後方の内層ダクト内には冷却装置の冷却器３９が縦設されており、内層ダクトに対応した送風機が運転されると冷却器３９と熱交換した冷気は内層ダクト内を上昇せられ、内層吐出口１６より内層吸込口１８に向かって吐出される。外層ダクトに対応した送風機が運転されると外層ダクト内の空気は外層ダクト内を上昇せられ、外層吐出口１７より外層吸込口１９に向かって吐出される。これによって、開口１２には前後二重のエアーカーテンが形成され、内側の冷気エアーカーテンの一部が陳列室１１内に循環されて陳列室１１は冷却される。
【００１７】
断熱壁２の天壁２Ｂ前端（上部前端）には、前方に張り出したキャノピー３３が取り付けられており、このキャノピー３３の内側には、庫内照明器具６０Ａ（６０）が備えられている。この庫内照明器具６０Ａは、複数のＬＥＤ素子４３が配設された基板により構成されており、当該基板は熱良導性の取付け板に固定されている。
また、陳列室１１内に複数段架設される棚板３２の前端部下面には、当該棚板３２の下方に陳列される商品を照明するための庫内照明器具６０Ｂ（６０）が設けられている。この庫内照明器具６０Ｂは、複数のＬＥＤ素子が配設された基板により構成されており、当該基板は熱良導性の取付け板に固定されている。
庫内照明器具６０Ａが陳列室１１の外側に位置する上前方から矢印Ａに示すように効果的に陳列室１１内全体を照明し、庫内照明器具６０Ｂが矢印Ｃに示すように棚奥を照明することで、陳列室１１内を効果的に照明することが可能となる。
【００１８】
ショーケース５０は、開口１２の側から、矢印Ｂに示すように店舗照明器具１０の影響を受ける。そのため、庫内照明器具６０は、店舗照明器具１０に合わせて調色・調光の制御が行われる。
【００１９】
図２は、本実施の形態に係る店舗照明器具１０とショーケース５０の系統図である。
照明制御装置１は、精肉、鮮魚等を収容するショーケース５０と、庫内照明器具（庫内照明）６０と、ショーケース５０が置かれる店舗に設置される店舗照明器具１０と、店舗照明器具（店舗内照明）１０を調色・調光する店舗照明制御部２０と、店舗照明制御部２０と連携すると共に、庫内照明器具６０を調色・調光する店舗統括制御部３０とで構成されている。店舗照明器具１０は、蛍光灯が一般的であるが、ＬＥＤ素子を用いた照明器具であってもよい。
店舗統括制御部３０は、例えば、店舗の入り口から入る外光に基づいて、店舗照明制御部２０を介して店舗照明器具１０を調色・調光制御する。そして、店舗照明器具１０と連動させて庫内照明器具６０を調色・調光制御することで、庫内照明器具６０に収容される食品が魅力的に見えるよう最適効果を演出する。
【００２０】
図３は、本実施の形態に係る制御ブロック図である。
店舗統括制御部３０は、制御部９０と、データーベース部１５０と、外光予測部３００とを備え、制御部９０には、店舗照明制御部２０が接続されている。
本実施の形態では、外光予測部３００に、カレンダー情報と、カレンダー情報に対応した外光の照度、色温度の関係がデーター化されている。外光予測部３００に、カレンダー情報だけを格納し、制御部９０に、カレンダー情報に対応した、外光の照度、色温度の関係をデーターベース化して格納してもよい。
データーベース部１５０には、外光に応じて、店舗照明器具１０を制御するためのデーターが格納されている。このデーターは、外光が、店舗内の照明に影響を与えることを予測して予め求めた、外光と店舗照明の関係を示すデーターである。
例えば、２００ｍ2未満の狭い店舗１００では、図４に示すように、商品種別毎に照明エリア１０２〜１０８を区分けし、外光と、照明エリア１０２〜１０８の店舗照明との関係を予めデーター化しておく。そして、外光に変化があったとき、データーベース部１５０に格納されたデーターに従って、照明エリア１０２〜１０８の照度、色温度を個別に変化させる。また、詳細は後述するが、例えば、２００ｍ2以上の広い店舗１００では、図５に示すように、大型店舗２００内を例えば１辺３ｍ程度のメッシュに区分けし、店内の座標情報を決めておいて、外光と、照明エリアの店舗照明との関係を予めデーター化しておく。そして、外光に変化があったときには、データーベース部１５０に格納されたデーターに従って、照明エリアの照度、色温度を個別に変化させる。
【００２１】
図６は、照明制御装置１の処理フローの一例を示す図である。
制御処理が開始されると（Ｓ１）、外光予測部３００のカレンダー情報に基づいて、現在時間の季節を判定し、現在の季節と、時間に基づいて、カレンダー情報に対応した、外光の照度、色温度を判定し、予測される外光の照度、色温度のデーターを制御部９０に出力する（Ｓ２）。次に、制御部９０は、データーベース部１５０に登録されている外光と店舗照明の関係を示すデーターを参照し、予測される外光の照度、色温度のデーターに対応する、適切とされる店舗照明器具１０の色温度・照度の情報を取得し、制御部９０により、店舗照明制御部２０へ送信する（Ｓ３）。店舗照明制御部２０は、当該情報に基づいて、店舗照明を調色・調光する（Ｓ４）。
【００２２】
次いで、ショーケース５０の庫内照明を制御するにあたって、ショーケース５０の置かれた照明エリア（該当照明エリア）の基準照度が算出される（Ｓ５）。
上述したように、図４に示す店舗１００では、例えば、店舗面積が２００ｍ2未満の比較的狭い店舗であるとか、店舗照明器具１０の色温度・照度の設定が簡易的である店舗が想定されている。店舗１００は、青果エリア１０２と、青果エリア１０２に隣接する日配エリア１０３と、店舗１００の奥側に備えられる鮮魚エリア１０４と、鮮魚エリア１０４に隣接する精肉エリア１０５と、精肉エリア１０５の手前に位置するベーカリー・惣菜エリア１０６と、店舗１００の中心に位置する日用品・乾物等エリア１０７と、出口１０９に隣接するレジエリア１０８とに区分けされている。鮮魚エリア１０４、精肉エリア１０５には、ショーケース５０が、それぞれ配置されている。
【００２３】
この基準照度は、ショーケース５０の置かれた照明エリア（該当照明エリア）だけでなく、隣接照明エリアの店舗照明の影響を加味して算出される。
例えば、精肉エリア１０５を例にとると、ショーケース５０の配置された精肉エリア１０５（該当照明エリア）、及び精肉エリア１０５に隣接する日配エリア１０３、鮮魚エリア１０４、及びベーカリー・惣菜エリア１０６（隣接照明エリア）に設けた重み付けに従って、該当照明エリアの基準照度が算出される。すなわち、ショーケース５０が置かれるエリアの店舗照明の基準照度は、当該エリアの照度と、ショーケース５０が置かれるエリアに隣接するエリアに設置される店舗照明の照度とに影響される。従って、任意の重みを付け（例えば、隣接エリアの影響度を０．１とする。）、その重みを使用して平均化を行い、当該エリアの基準照度が算出される。
【００２４】
具体的には、図４を参照し、精肉エリア１０５の基準照度は、隣接する照明エリアの重みを加味することにより、次式（１）により求められる。
基準照度＝（精肉エリア１０５の照度×０．７）
＋（鮮魚エリア１０４の照度×０．１）
＋（日用品・乾物等エリア１０７の照度×０．１）
＋（ベーカリー・惣菜エリア１０６の照度×０．１）    …（１）
精肉エリア１０５の基準照度を求めた後、基準照度に合わせて、精肉エリア１０５に置かれたショーケース５０の庫内照明が制御される（Ｓ７）。
なお、（１）式に従って、基準照度を算出するが、色温度を同様に算出してもよい。この場合には、例えば、次式（１‐１）により求めてもよい。
基準色温度＝（精肉エリア１０５の色温度×０．７）
＋（鮮魚エリア１０４の色温度×０．１）
＋（日用品・乾物等エリア１０７の色温度×０．１）
＋（ベーカリー・惣菜エリア１０６の色温度×０．１）  …（１‐１）
【００２５】
次に、外光に応じて、調色・調光された店舗照明に対応するように、基準照度を考慮して、庫内照明器具６０を制御し、ショーケース５０の庫内照明を制御する（Ｓ６）。
庫内照明の調色・調光制御あたっては、予め店舗照明の色温度・照度と調和が取れるようデーターベース部１５０に登録された情報に基づいてなされる。例えば、店舗照明器具１０の色温度（白みや赤みのバランス）が変更になった場合、庫内照明器具６０が、店舗照明器具１０と調和のとれる色温度に変更することができる。また、店舗照明器具１０が蛍光灯のような白みの強い色合いから、電球のような赤みの強い色合いに変更された場合には、庫内照明器具６０についても、店舗照明器具１０と調和のとれるように赤みの強い（色温度が低い）照明設定をすることができる。
このように、庫内照明の色温度・照度を、現在の季節と、時間に基づいて調色・調光された店舗照明の色温度・照度にあわせて、適切に調色・調光することができ、ショーケース内の商品を魅力的に見せることで販売効果を促進することができる。
【００２６】
また、庫内照明の調色・調光制御は、予め店舗照明の色温度・照度と調和が取れるようデーターベース部１５０に登録された情報に基づいてなされる。
図７は、色温度と外光との調和用基本情報の一例を示す。
この情報は、例えば、中間期をイメージしており、情報補正の場合には、夏と冬で５００Ｋ程度（夏が色温度高。）の色温度差が設けられる。
基本情報は、中間期の時刻に対応した、外光色温度、店舗照明の色温度設定、青果エリア１０２の庫内照明の色温度設定、及び、精肉エリア１０５の庫内照明の色温度設定の変化を示す。具体的には、青果エリア１０２の庫内照明の色温度設定は、高めの色温度（白みのかかった照明）をベースに外光と連動する。また、精肉エリア１０５の庫内照明の色温度設定は、低めの色温度（赤みの強い照明）をベースに外光と連動する。
上記構成では、各々のショーケース５０ごとにいかなる調色・調光をすればよいかが自動で判断でき、店舗内にショーケース５０が複数置かれる場合であっても、各々のショーケース５０ごとに適切な庫内照明器具６０を自動で調色・調光することができる。
【００２７】
別形態として、図５は、大型店舗２００のショーケース５０の配置図である。
この大型店舗２００では、青果エリア２５０と、青果エリアに隣接する日配エリア２５１と、鮮魚エリア２５２と、精肉エリア２５３と、ベーカリー・惣菜エリア２５４と、日用品・乾物等エリア２５５と、レジエリア２５６とに区分けされている。鮮魚エリア２５２、精肉エリア２５３と、日用品・乾物等エリア２５５には、ショーケース５０が、それぞれ配置されている。
大型店舗２００では、各エリアがさらに細かく切り分けられる。大型店舗２００では、店舗照明器具１０は、例えば１．５ｍ〜２ｍおきに配置されるため、店内を１辺Ｌが３ｍ程度のメッシュに切り分けられる。大型店舗や、店舗照明器具１０の色温度・照度の設定が詳細である店舗では、照明エリアをより細かく設定し、外光に対応させて、メッシュ毎に、店舗照明器具１０が制御される（Ｓ４）。
大型店舗２００では、ショーケース５０には、大型店舗２００内の座標情報をあらかじめ設定しておき、ショーケース５０の配置エリア、および、ショーケース５０の配置エリアに隣接したエリアの店舗照明の照度を、任意の重みをつけてコード化、平均化を行い、ショーケース５０周囲の店舗照明の基準照度を算出する（Ｓ５）。
【００２８】
例えば、精肉エリア壁部２０１に設置のショーケース５０を考えると、ショーケース５０の置かれた精肉エリア壁部２０１の周囲には、５つの隣接エリアが置かれている。
ショーケース５０の置かれた精肉エリア壁部２０１と、各隣接エリアに図に示す重みを付けて、基準照度は、次式（２）により算出される。なお、基準色温度の算出は、上記式（１‐１）と同様にしてもよい。
基準照度＝（精肉エリア壁部２０１の照度×０．４）
＋（左エリア２０２の照度×０．１５）
＋（上エリア２０３の照度×０．１５）
＋（下エリア２０４の照度×０．１５）
＋（左上エリア２０５の照度×０．０７５）
＋（左下エリア２０６の照度×０．０７５）    …（２）
【００２９】
また、例えば、鮮魚エリア角部２１０に設置のショーケース５０を考えると、ショーケース５０の置かれた照明エリアの周囲には、３つの隣接エリアが置かれている。
ショーケース５０の置かれた照明エリアと、各隣接エリアに図に示す重みを付けて、基準照度は、次式（３）により算出される。
基準照度＝（鮮魚エリア角部２１０の照度×０．５）
＋（左エリア２１１の照度×０．２）
＋（下エリア２１２の照度×０．２）
＋（左下エリア２１３の照度×０．１）        …（３）
【００３０】
また、日用品・乾物等エリア中央部２２０に設置のショーケース５０を考えると、ショーケース５０の置かれた照明エリアの周囲には、９つの隣接エリアが置かれる。
ショーケース５０の置かれた照明エリアと、各隣接エリアに図に示す重みを付けて、基準照度は、次式（４）により算出される。
基準照度＝（日用品・乾物等エリア中央部２２０の照度×０．３）
＋（左エリア２２１の照度×０．１２５）
＋（上エリア２２２の照度×０．１２５）
＋（右エリア２２３の照度×０．１２５）
＋（下エリア２２４の照度×０．１２５）
＋（左上エリア２２５の照度×０．０５）
＋（右上エリア２２６の照度×０．０５）
＋（右下エリア２２７の照度×０．０５）
＋（左下エリア２２８の照度×０．０５）        …（４）
【００３１】
大型店舗２００の場合には、店内を細かく１辺が３ｍ程度のメッシュに切り分けることで、各々のショーケース５０の庫内照明と、当該ショーケース５０の設置されるエリアの店舗照明とを、正確に連携させることができる。
【００３２】
次いで、ショーケース５０が、いかなる食品を収容するケースであるかのケース種別の判断がなされる（Ｓ７）。
本実施の形態では、ショーケース５０が、精肉を収容するケースである場合、Ｓ７で設定された庫内照明の色温度・照度を前提に、庫内照明の色温度を低くし、赤みを強調するよう調色される（Ｓ８）。また、ショーケース５０が、鮮魚を収容するケースである場合、Ｓ７で設定された庫内照明の色温度・照度を前提に、庫内照明の色温度を高くし、白みを強調するよう調色される（Ｓ９）。
なお、本実施の形態では、ショーケース５０が、精肉、鮮魚を収容するケースである場合について説明したが、精肉や刺身、鮮魚以外の商品であっても、当該商品にあわせた最適な調色制御ができる。
この補正がなされると、スケジュールに基づく照明制御処理が終了する（Ｓ１０）。このスケジュールに基づく照明制御処理は、所定の時間（例えば、１時間。）毎に行われる。この時間は、１時間に限定されない。
【００３３】
上述の実施形態では、外光予測部３００にスケジュール情報を用いたが、これに限定されるものではなく、外光予測部３００に、例えば、外光の照度、色温度を直接検知する外光センサ（外光検出部）を利用することも可能である。
例えば、別の実施の形態として、外光予測部３００、並びに外光センサ（外光検出部）を共に設置してもよい。外光予測部３００により想定された外光に基づいて、店舗照明の制御が行われている場合、急に外光の色温度・照度が変わり、スケジュール制御に追従することが好ましくないとき、店舗照明の制御を変更することができる。例えば、データーベース部１５０に格納されたデーターのうち、外光予測部３００により想定された外光に対応する照度データーを採用することなく、外光センサ（外光検出部）で直接検出した外光に対応する照度データーを採用して店舗照明を制御することができる。
この実施の形態では、スケジュールに従う制御から、急に外光の色温度・照度が変わった場合の特別制御に変更するから、現状に即した制御が可能である。
この実施の形態では、外光センサの検出値に所定の閾値を設けておいて、外光に急な変化があって閾値を超えた外光が検出された場合にだけ、上述した特別制御に移行するように、構成することが望ましい。
【００３４】
さらに別の実施の形態として、外光予測部３００のうち、カレンダー情報、及びインターネット通信網を利用して取得される天候情報を、共に利用することは可能である。
例えば、カレンダー情報から得られた外光に基づいて、店舗照明の制御が行われている場合、天候情報により外光の変化が予測されると、天候情報から得た外光に基づいて、店舗照明の制御を行うように変更してもよい。この実施の形態では、データーベース部１５０に格納されたデーターのうち、カレンダー情報により想定された外光に対応する照度データーを取得することなく、天候情報により予測した外光に対応する照度データーを取得して店舗照明を制御すればよい。
具体的には、例えば、天候が悪い場合には、昼間であっても、外光の色温度・照度に合わせて、店舗照明、庫内照明をやや暗めにする制御を行うことができる。また、例えば、天候がよい場合には、外光の色温度・照度に合わせて、昼間の店舗照明、庫内照明をやや明るめにする制御を行うことができる。
この構成では、天候情報に基づく外光の依った特別制御に変更するから、現状に即した制御が可能である。また、外光センサを利用する場合に比べて、安価な構成とすることができる。
【００３５】
以上、本実施の形態に基づいて本発明を説明したが、本発明はこの実施形態に限定されるものではない。あくまでも本発明の実施の態様を例示するものであるから、本発明の趣旨を逸脱しない範囲で任意に変更、及び応用が可能である。
例えば、本実施の形態では、外光を取得する機能として、スケジュール機能、天候情報取得機能、外光検出機能を説明したが、これら機能に限定されない。
また、ショーケースはオープンショーケースを例にして説明したが、平置き型のショーケースやワインセーラー等の他ケースにも適用可能である。
【符号の説明】
【００３６】
１  照明制御装置
１０  店舗照明器具（店舗内照明）
１１  陳列室
２０  店舗照明制御部
３０  店舗統括制御部
５０  ショーケース
６０Ａ  庫内照明器具（庫内照明）
６０Ｂ  庫内照明器具（庫内照明）
９０  制御部
１００  店舗
１５０  データーベース部
２００  大型店舗
３００  外光予測部
【図１】
2016048605.tif 000003
【図２】
2016048605.tif 000004
【図３】
2016048605.tif 000005
【図４】
2016048605.tif 000006
【図５】
2016048605.tif 000007
【図６】
2016048605.tif 000008
【図７】
2016048605.tif 000009